(57)【要約】  単一の高速フーリエ変換（ＦＦＴ）ブロックを使用することにより様々な特性を有するアップリンク情報を送信する方法は、送信されるアップリンクデータが存在する場合に、アップリンクシグナリング情報が存在するか否かを判定するステップと、存在しない場合、上記アップリンクデータ及びアップリンクデータに関する制御情報を多重化し、そのデータを第１の周波数リソースを介して送信するステップと、上記アップリンクシグナリング情報が存在する場合、上記アップリンクデータ、アップリンクデータに関する制御情報、及びアップリンクシグナリング情報を多重化し、そのデータを第１の周波数リソースを介して送信するステップと、上記アップリンクデータは存在しないが上記アップリンクシグナリング情報が存在する場合、上記アップリンクシグナリング情報を第２の周波数リソースを介して送信するステップと、を含む。
2009522911.tif 000002
【特許請求の範囲】
【請求項１】
単一キャリア周波数分割多重接続（ＳＣ-ＦＤＭＡ）無線通信システムにおける複数のアップリンク情報を送信する方法であって、
送信されるアップリンクデータが存在する場合に、送信されるアップリンクシグナリング情報が存在するか否かを判定するステップと、
前記アップリンクシグナリング情報が存在しない場合に、前記アップリンクデータ及び前記アップリンクデータに関する制御情報を多重化し、多重化されたデータを前記アップリンクデータのために割り当てられた第１の周波数リソースを介して送信するステップと、
前記アップリンクシグナリング情報が存在する場合に、前記アップリンクデータ、前記アップリンクデータに関する制御情報、及び前記アップリンクシグナリング情報を多重化し、多重化されたデータを前記アップリンクデータのために割り当てられた第１の周波数リソースを介して送信するステップと、
送信される前記アップリンクデータが存在せず、送信される前記アップリンクシグナリング情報が存在する場合に、前記アップリンクシグナリング情報を前記アップリンクシグナリング情報のために割り当てられた第２の周波数リソースを介して送信するステップと、
を含むことを特徴とする方法。
【請求項２】
送信される前記アップリンクシグナリング情報が存在しないことを示す所定の第１のパイロットパターンを有するパイロットを前記第１の周波数リソースの所定の時間リソースを介して送信するステップをさらに含むことを特徴とする請求項１に記載の方法。
【請求項３】
前記アップリンクシグナリング情報が存在することを示す所定の第２のパイロットパターンを有するパイロットを前記第１の周波数リソースの所定の時間リソースを介して送信するステップをさらに含むことを特徴とする請求項２に記載の方法。
【請求項４】
前記アップリンクシグナリング情報は、前記制御情報内のアップリンクシグナリングフィールドに含まれることを特徴とする請求項１に記載の方法。
【請求項５】
前記アップリンクシグナリング情報が存在しない場合に、前記制御情報内の前記アップリンクシグナリングフィールドは、所定の値を有するように設定されることを特徴とする請求項４に記載の方法。
【請求項６】
前記アップリンクシグナリング情報は、ダウンリンクデータの受信に成功したか否かを示す肯定応答（ＡＣＫ）／否定応答（ＮＡＣＫ）及びチャネル状態を示すチャネル品質指示子（ＣＱＩ）の中の少なくとも１つを含むことを特徴とする請求項１に記載の方法。
【請求項７】
送信される前記アップリンクシグナリング情報が前記ＡＣＫ／ＮＡＣＫ及び前記ＣＱＩをすべて含む場合に、前記ＡＣＫ／ＮＡＣＫ及び前記ＣＱＩは、所定の時間リソース内の前記ＣＱＩのために割り当てられたサブキャリアを使用して送信されることを特徴とする請求項６に記載の方法。
【請求項８】
前記ＡＣＫ／ＮＡＣＫ及び前記ＣＱＩの中の１つは、送信される前記アップリンクシグナリング情報が前記ＡＣＫ／ＮＡＣＫ及び前記ＣＱＩの中の１つを含む場合に、前記時間リソース内の前記ＣＱＩのために割り当てられた第１のサブキャリアセット及び前記ＡＣＫ／ＮＡＣＫのために割り当てられた第２のサブキャリアセットの中のいずれか１つを使用して送信されることを特徴とする請求項７に記載の方法。
【請求項９】
前記第１及び第２のサブキャリアセットの各々は、相互に等間隔を有するサブキャリアを含むことを特徴とする請求項８に記載の方法。
【請求項１０】
前記第１及び第２のサブキャリアセットは、相互に隣接したサブキャリア又は等間隔を有するサブキャリアを含むことを特徴とする請求項１に記載の方法。
【請求項１１】
単一キャリア周波数分割多重接続（ＳＣ-ＦＤＭＡ）無線通信システムにおける複数のアップリンク情報を送信する装置であって、
送信されるアップリンクデータが存在し、送信されるアップリンクシグナリング情報が存在しない場合に、前記アップリンクデータ及び前記アップリンクデータに関する制御情報を多重化し、送信される前記アップリンクデータが存在し、送信される前記アップリンクシグナリング情報が存在する場合に、前記アップリンクデータ、前記アップリンクデータに関する制御情報、及び送信される前記アップリンクシグナリング情報を多重化する多重化器と、
前記多重化器により多重化された情報を前記アップリンクデータのために割り当てられた第１の周波数リソースを介して送信するデータリソースマッパーと、
送信される前記アップリンクデータが存在しない場合に、前記アップリンクシグナリング情報を前記アップリンクシグナリング情報のために割り当てられた第２の周波数リソースを介して送信するアップリンクシグナリングリソースマッパーと、
を含むことを特徴とする装置。
【請求項１２】
前記多重化器は、送信される前記アップリンクシグナリング情報が存在しないことを示す所定の第１のパイロットパターンを有するパイロットを前記第１の周波数リソースの所定の時間リソースを介して送信することを特徴とする請求項１１に記載の装置。
【請求項１３】
前記多重化器は、送信される前記アップリンクシグナリング情報が存在することを示す所定の第２のパイロットパターンを有するパイロットを前記第１の周波数リソースの所定の時間リソースを介して送信することを特徴とする請求項１２に記載の装置。
【請求項１４】
前記アップリンクシグナリング情報は、前記制御情報内のアップリンクシグナリングフィールドに含まれていることを特徴とする請求項１１に記載の装置。
【請求項１５】
前記アップリンクシグナリング情報が存在しない場合に、前記制御情報内の前記アップリンクシグナリングフィールドは、所定の値を有するように設定されることを特徴とする請求項１４に記載の装置。
【請求項１６】
前記アップリンクシグナリング情報は、ダウンリンクデータの受信に成功する否かを示す肯定応答（ＡＣＫ）／否定応答（ＮＡＣＫ）及びチャネル状態を示すチャネル品質指示子（ＣＱＩ）の中の少なくとも１つを含むことを特徴とする請求項１１に記載の装置。
【請求項１７】
前記ＡＣＫ／ＮＡＣＫ及び前記ＣＱＩは、送信される前記アップリンクシグナリング情報が前記ＡＣＫ／ＮＡＣＫ及び前記ＣＱＩをすべて含む場合に、所定の時間リソース内の前記ＣＱＩのために割り当てられたサブキャリアを使用して送信されることを特徴とする請求項１６に記載の装置。
【請求項１８】
送信される前記アップリンクシグナリング情報が前記ＡＣＫ／ＮＡＣＫ及び前記ＣＱＩの中のいずれか１つを含む場合に、前記ＡＣＫ／ＮＡＣＫ及び前記ＣＱＩの中の１つは、前記時間リソース内の前記ＣＱＩのために割り当てられた第１のサブキャリアセット及び前記ＡＣＫ／ＮＡＣＫのために割り当てられた第２のサブキャリアセットの中のいずれか１つを使用して送信されることを特徴とする請求項１７に記載の装置。
【請求項１９】
前記第１及び第２のサブキャリアセットの各々は、相互に等間隔を有するサブキャリアを含むことを特徴とする請求項１８に記載の装置。
【請求項２０】
前記第１及び第２のサブキャリアセットは、相互に隣接したサブキャリア又は等間隔を有するサブキャリアを含むことを特徴とする請求項１１に記載の装置。
【請求項２１】
単一キャリア周波数分割多重接続（ＳＣ-ＦＤＭＡ）無線通信システムにおける複数のアップリンク情報を受信する方法であって、
（１）前記アップリンクデータがアップリンクデータのために割り当てられた第１の周波数リソースを介して受信されたか否かを判定するステップと、
（２）前記アップリンクデータが受信された場合に、前記第１の周波数リソースを介して受信された情報がアップリンクシグナリング情報を含んでいるか否かを判定するステップと、
（３）前記第１の周波数リソースを介して受信された情報が前記アップリンクシグナリング情報を含んでいない場合に、前記第１の周波数リソースを介して受信された情報を前記アップリンクデータ及び前記アップリンクデータに関する制御情報に逆多重化するステップと、
（４）前記第１の周波数リソースを介して受信された情報が前記アップリンクシグナリング情報を含む場合に、前記第１の周波数リソースを介して受信された情報を前記アップリンクデータ、前記アップリンクデータに関する制御情報、及び前記アップリンクシグナリング情報に逆多重化するステップと、
（５）前記アップリンクデータが受信されない場合に、前記アップリンクシグナリング情報のために割り当てられた第２の周波数リソースを介して前記アップリンクシグナリング情報を受信するステップと、
を含むことを特徴とする方法。
【請求項２２】
前記ステップ（２）を判定するステップは、前記第１の周波数リソースの所定の時間リソースを介して受信された前記アップリンクデータのパイロットのパイロットパターンに基づくことを特徴とする請求項２１に記載の方法。
【請求項２３】
前記パイロットは、前記アップリンクシグナリング情報が存在しないことを示す所定の第１のパイロットパターン及び前記アップリンクシグナリング情報が存在することを示す所定の第２のパイロットパターンの中のいずれか１つを有することを特徴とする請求項２２に記載の方法。
【請求項２４】
前記アップリンクシグナリング情報は、前記制御情報内のアップリンクシグナリングフィールドに含まれることを特徴とする請求項２１に記載の方法。
【請求項２５】
前記アップリンクシグナリング情報が存在しない場合に、前記制御情報内の前記アップリンクシグナリングフィールドは、所定の値を有するように設定されることを特徴とする請求項２４に記載の方法。
【請求項２６】
前記アップリンクシグナリング情報は、ダウンリンクデータの受信に成功するか否かを示す肯定応答（ＡＣＫ）／否定応答（ＮＡＣＫ）及びチャネル状態を示すチャネル品質指示子（ＣＱＩ）の中の少なくとも１つを含むことを特徴とする請求項２１に記載の方法。
【請求項２７】
前記ＡＣＫ／ＮＡＣＫ及び前記ＣＱＩは、前記アップリンクシグナリング情報が前記ＡＣＫ／ＮＡＣＫ及び前記ＣＱＩをすべて含む場合に、所定の時間リソース内の前記ＣＱＩのために割り当てられたサブキャリアを使用して受信されることを特徴とする請求項２６に記載の方法。
【請求項２８】
前記アップリンクシグナリング情報が前記ＡＣＫ／ＮＡＣＫ及び前記ＣＱＩの中のいずれか１つを含む場合に、前記ＡＣＫ／ＮＡＣＫ及び前記ＣＱＩの中のいずれか１つは、前記時間リソース内の前記ＣＱＩのために割り当てられた第１のサブキャリアセット及び前記ＡＣＫ／ＮＡＣＫのために割り当てられた第２のサブキャリアセットの中のいずれか１つを使用して受信されることを特徴とする請求項２７に記載の方法。
【請求項２９】
前記第１及び第２のサブキャリアセットの各々は、相互に等間隔を有するサブキャリアを含むことを特徴とする請求項２８に記載の方法。
【請求項３０】
前記第１及び第２のサブキャリアセットは、相互に隣接したサブキャリア又は等間隔を有するサブキャリアを含むことを特徴とする請求項２１に記載の方法。
【請求項３１】
単一キャリア周波数分割多重接続（ＳＣ-ＦＤＭＡ）無線通信システムにおける複数のアップリンク情報を受信する装置であって、
前記アップリンクデータのために割り当てられた第１の周波数リソースを介して受信された情報が存在する場合に、前記情報がアップリンクシグナリング情報を含むか否かを判定する判定器と、
前記第１の周波数リソースを介して受信された情報が前記アップリンクシグナリング情報を含まない場合に、前記第１の周波数リソースを介して受信された情報を前記アップリンクデータ及び前記アップリンクデータに関する制御情報に逆多重化し、前記第１の周波数リソースを介して受信された情報が前記アップリンクシグナリング情報を含む場合に、前記第１の周波数リソースを介して受信された情報を前記アップリンクデータ、前記アップリンクデータに関する制御情報、及び前記アップリンクシグナリング情報に逆多重化する逆多重化器と、
前記第１の周波数リソースを介して受信された情報が存在しない場合に、前記アップリンクシグナリング情報のために割り当てられた第２の周波数リソースを介して前記アップリンクシグナリング情報を受信する受信器と、
を含むことを特徴とする装置。
【請求項３２】
前記判定器は、前記第１の周波数リソースの所定の時間リソースを介して受信された前記アップリンクデータのパイロットのパイロットパターンに基づいて判定することを特徴とする請求項３１に記載の装置。
【請求項３３】
前記パイロットは、前記アップリンクシグナリング情報が存在しないことを示す所定の第１のパイロットパターン及び前記アップリンクシグナリング情報が存在することを示す所定の第２のパイロットパターンの中のいずれか１つを有することを特徴とする請求項３２に記載の装置。
【請求項３４】
前記アップリンクシグナリング情報は、前記制御情報内のアップリンクシグナリングフィールドに含まれることを特徴とする請求項３１に記載の装置。
【請求項３５】
前記アップリンクシグナリング情報が存在しない場合に、前記制御情報内の前記アップリンクシグナリングフィールドは、所定の値を有するように設定されることを特徴とする請求項３４に記載の装置。
【請求項３６】
前記アップリンクシグナリング情報は、ダウンリンクデータの受信に成功するか否かを示す肯定応答（ＡＣＫ）／否定応答（ＮＡＣＫ）及びチャネル状態を示すチャネル品質指示子（ＣＱＩ）の中の少なくとも１つを含むことを特徴とする請求項３１に記載の装置。
【請求項３７】
前記ＡＣＫ／ＮＡＣＫ及び前記ＣＱＩは、前記アップリンクシグナリング情報が前記ＡＣＫ／ＮＡＣＫ及び前記ＣＱＩをすべて含む場合に、所定の時間リソース内の前記ＣＱＩのために割り当てられたサブキャリアを使用して受信されることを特徴とする請求項３６に記載の装置。
【請求項３８】
前記アップリンクシグナリング情報が前記ＡＣＫ／ＮＡＣＫ及び前記ＣＱＩの中のいずれか１つを含む場合に、前記ＡＣＫ／ＮＡＣＫ及び前記ＣＱＩの中の１つは、前記時間リソース内の前記ＣＱＩのために割り当てられた第１のサブキャリアセット及び前記ＡＣＫ／ＮＡＣＫのために割り当てられた第２のサブキャリアセットの中の１つを使用して受信されることを特徴とする請求項３７に記載の装置。
【請求項３９】
前記第１及び第２のサブキャリアセットの各々は、相互に等間隔を有するサブキャリアを含むことを特徴とする請求項３８に記載の装置。
【請求項４０】
前記第１及び第２のサブキャリアセットは、相互に隣接したサブキャリア又は等間隔を有するサブキャリアを含むことを特徴とする請求項３１に記載の装置。
【発明の詳細な説明】
【技術分野】
【０００１】
本発明は、単一キャリア（Single Carrier：以下、“ＳＣ”と称する。）を使用する周波数分割多重接続（Frequency Division Multiple Access：以下、“ＦＤＭＡ”と称する。）無線通信システムにおけるアップリンクシグナリング情報及びアップリンクデータを送受信する方法及び装置に関する。
【背景技術】
【０００２】
最近では、直交周波数分割多重（Orthogonal Frequency Division Multiple：以下、“ＯＦＤＭ”と称する。）方式及びＯＦＤＭ方式と類似した単一キャリア周波数分割多重接続（Single Carrier-Frequency division Multiple Access：以下、“ＳＣ-ＦＤＭＡ”と称する。）方式は、移動通信システムにおける無線チャネルを介して高速データの送信に使用可能な方式として活発に研究されている。
【０００３】
マルチキャリア（Multi-Carrier）を使用してデータを送信するＯＦＤＭ方式は、直列シンボルシーケンスを並列シンボルシーケンスに変換し、これらの各々を相互直交性を有する複数のサブキャリア（sub-carrier）、すなわち、複数のサブキャリアチャネル（sub-carrier channel）で変調するマルチキャリア変調（Multi-Carrier Modulation：以下、“ＭＣＭ”と称する。）方式の一種である。
【０００４】
図１は、通常のＯＦＤＭシステムにおける送信器の構成を示すブロック図である。ＯＦＤＭ送信器は、チャネル符号化器１０１と、変調器１０２と、直列／並列（serial-to-parallel：Ｓ／Ｐ）変換器１０３と、逆高速フーリエ変換（Inverse Fast Fourier Transform：以下、“ＩＦＦＴ”と称する。）ブロック又はデジタルフーリエ変換（Digital Fourier Transform：以下、“ＤＦＴ”と称する。）ブロック１０４と、並列／直列（parallel-to-serial：Ｐ／Ｓ）変換器１０５と、サイクリックプレフィックス符号（Cyclic Prefix：以下、“ＣＰ”と称する。）挿入器１０６と、を含む。
【０００５】
チャネル符号化器１０１は、情報ビット（Information bit）シーケンスを受信し、チャネル符号化する。一般的に、畳み込み符号化器（Convolutional encoder）、ターボ符号化器（Turbo encoder）、又は低密度パリティ検査（Low Density Parity Check：ＬＤＰＣ）符号化器は、チャネル符号化器１０１として使用される。変調器１０２は、ＱＰＳＫ（Quadrature Phase Shift Keying、四位相偏移変調）方式、８ＰＳＫ方式、１６ＱＡＭ（16-ary Quadrature Amplitude Modulation、１６値直交振幅変調）方式、６４ＱＡＭ方式、及び２５６ＱＡＭ方式などのような変調（Modulation）方式に従って、チャネル符号化されたビット列を変調する。一方、図１に図示していないが、反復（Repetition）及びパンクチャーリング（Puncturing）を遂行するレートマッチング（Rate matching）ブロックがチャネル符号化器１０１と変調器１０２との間に挿入されることが可能であることは、自明な事実である。
【０００６】
Ｓ／Ｐ変換器１０３は、変調器１０２からの出力データを受信し、受信されたデータを並列データに変換する。ＩＦＦＴブロック１０４は、Ｓ／Ｐ変換器１０３から出力された並列データを受信し、この並列データのＩＦＦＴ演算を遂行する。ＩＦＦＴブロック１０４から出力されたデータは、Ｐ／Ｓ変換器１０５により直列データに変換される。ＣＰ挿入器１０６は、ＣＰをＰ／Ｓ変換器１０５から出力された直列データに挿入し、これにより、送信のためのＯＦＤＭシンボルを生成する。
【０００７】
ＩＦＦＴブロック１０４は、周波数領域の入力データを時間領域の出力データに変換する。通常のＯＦＤＭシステムにおいて、入力データが周波数領域で処理されるため、このデータが時間領域に変換された場合には、データの最大電力対平均電力比（Peak to Average Power Ratio：以下、“ＰＡＰＲ”と称する。）が増加する。
【０００８】
ＰＡＰＲは、アップリンク送信にあたり、考慮されなければならない最も重要な要素の中の１つである。ＰＡＰＲが増加すると、セルカバレージが減少し、その結果、端末により必要とされる信号電力が増加する。したがって、優先的にＰＡＰＲを減少させる必要があるので、ＯＦＤＭ基盤アップリンク送信の場合に、通常のＯＦＤＭ方式から変形された方式であるＳＣ-ＦＤＭＡ方式を使用することができる。すなわち、ＳＣ-ＦＤＭＡ方式は、周波数領域でのデータの処理（チャネル符号化、変調など）を遂行せずに、時間領域での処理を可能にすることにより、ＰＡＰＲを効率的に低減させることができる。
【０００９】
図２は、通常のアップリンク送信方式であるＳＣ-ＦＤＭＡ方式を使用するシステムにおける送信器の構成を示すブロック図である。
ＳＣ-ＦＤＭＡ送信器は、チャネル符号化器２０１と、変調器２０２と、Ｓ／Ｐ変換器２０３と、高速フーリエ変換（Fast Fourier Transform：以下、“ＦＦＴ”と称する。）ブロック２０４と、サブキャリアマッパー２０５と、ＩＦＦＴブロック２０６と、Ｐ／Ｓ変換器２０７と、ＣＰ挿入器２０８と、を含む。
【００１０】
チャネル符号化器２０１は、情報ビット列を受信し、チャネル符号化する。変調器２０２は、ＱＰＳＫ方式、８ＰＳＫ方式、１６ＱＡＭ方式、６４ＱＡＭ方式、及び２５６ＱＡＭ方式などのような変調方式に従って、チャネル符号化器２０１の出力を変調する。
【００１１】
Ｓ／Ｐ変換器２０３は、変調器２０２から出力されたデータを受信し、この受信されたデータを並列データに変換する。ＦＦＴブロック２０４は、Ｓ／Ｐ変換器２０３から出力されたデータのＦＦＴ演算を遂行し、これにより、このデータを周波数領域のデータに変換する。サブキャリアマッパー２０５は、ＦＦＴブロック２０４の出力データをＩＦＦＴブロック２０６の入力にマッピングする。ＩＦＦＴブロック２０６は、サブキャリアマッパー２０５から出力されたデータのＩＦＦＴ演算を遂行する。ＩＦＦＴブロック２０６の出力データは、Ｐ／Ｓ変換器２０７により直列データに変換される。ＣＰ挿入器２０８は、ＣＰをＰ／Ｓ変換器２０７から出力された直列データに挿入し、これにより、送信のためのＯＦＤＭシンボルを生成する。
【００１２】
図３は、図２に示したリソースマッピングの構成をさらに詳細に示すブロック図である。下記では、図３を参照して、サブキャリアマッパー２０５の動作について説明する。チャネル符号化及び変調されたデータシンボル３０１がＦＦＴブロック３０２に入力される。ＦＦＴブロック３０２の出力は、ＩＦＦＴブロック３０４に入力される。サブキャリアマッパー３０３は、ＦＦＴブロック３０２の出力データをＩＦＦＴブロック３０４の入力データにマッピングする。
【００１３】
サブキャリアマッパー３０３は、ＦＦＴブロック３０２により変換された周波数領域データの情報シンボルをＩＦＦＴブロック３０４の対応する入力位置（points）又は入力タブ（taps）にマッピングし、その結果、この情報シンボルは、適当なサブキャリアに乗せられることができる。
【００１４】
マッピング手続きの間に、ＦＦＴブロック３０２の出力シンボルがＩＦＦＴブロック３０４の隣接した入力位置に順次にマッピングされる場合に、この出力シンボルは、周波数領域上で連続するサブキャリアにより送信される。このようなマッピング方式は、ＬＦＤＭＡ（Localized Frequency Division Multiple Access、周波数分割多元接続）方式と呼ばれる。
【００１５】
また、ＦＦＴブロック３０２の出力シンボルが所定の間隔を有するＩＦＦＴブロック３０４の入力位置にマッピングされる場合に、この出力シンボルは、周波数領域で等間隔を有するサブキャリアにより送信される。このようなマッピング方式は、ＩＦＤＭＡ（Interleaved Frequency Division Multiple Access、インターリーブ周波数分割多重接続）方式又はＤＦＤＭＡ（Distributed Frequency Division Multiple Access、分配周波数分割多重接続）方式と呼ばれる。
【００１６】
図２及び図３が周波数領域でＳＣ-ＦＤＭＡ技術を実現する１つの方法を示すが、時間領域でＳＣ-ＦＤＭＡ技術を実現する方法のような他の様々な方法を使用することもできる。
【００１７】
図４の（ａ）及び（ｂ）は、周波数領域でのＤＦＤＭＡ及びＬＦＤＭＡのために使用されるサブキャリアの位置間の比較のための図である。図４の（ａ）において、ＤＦＤＭＡ方式を使用する端末の送信シンボルは、全周波数領域（すなわち、システム帯域）にわたって等間隔で分布される。図４の（ｂ）において、ＬＦＤＭＡ方式を使用する端末の送信シンボルは、一部の周波数領域で連続して位置する。
【００１８】
ＬＦＤＭＡ方式によれば、全周波数帯域中の連続する一部分を使用するために、周波数帯域のチャネル変化が激しい周波数選択性チャネル（Frequency selective channel）環境でチャネル利得が良い一部周波数帯域を選択することにより、周波数スケジューリング利得を得ることができる。他方、ＤＦＤＭＡ方式によれば、広い周波数帯域にわたって分布された複数のサブキャリアを使用することにより、送信シンボルが様々なチャネル利得を有するため、周波数ダイバーシティ利得を得ることができる。
【００１９】
上述したように、単一キャリアの特性を維持するためには、同時に送信される情報シンボルが単一ＦＦＴブロック（又はＤＦＴブロック）を通過した後に、ＬＦＤＭＡ又はＤＦＤＭＡを常に満足することができるように、ＩＦＦＴブロックにマッピングされなければならない。
【００２０】
実際の通信システムでは、様々な情報シンボルが送信されることができる。例えば、ＵＭＴＳ（Universal Mobile Telecommunications System、ヨーロッパにおける第３世代移動体通信システム）に基づいてＳＣ-ＦＤＭＡを使用するＬＴＥ（Long Term Evolution、ロング・ターム・エボリューション）システムのアップリンクにおいて、アップリンクデータと、このアップリンクデータの転送方式を規定する制御情報（例えば、アップリンクデータの転送形式（Transport Format：以下、“ＴＦ”と称する。）情報及び／又はＨＡＲＱ（Hybrid Automatic Repeat reQuest、ハイブリッド自動再送要求）情報を含む）、ダウンリンクデータのＨＡＲＱ動作のためのＡＣＫ（ACKnowledgement、応答）／ＮＡＣＫ（Negative ACKnowledgement、否定応答）、基地局のスケジューリングに使用されるために報告されるチャネル状態を示すＣＱＩ（Channel Quality Indication、チャネル品質表示）などが送信されることができる。上記列挙された情報は、相互に異なる送信特徴をそれぞれ有する。
【００２１】
アップリンクデータは、端末の送信バッファにデータが存在し、基地局からアップリンク送信の許可を受信した状況で送信可能である。上記アップリンクデータの転送方式を規定する制御情報は、上記アップリンクデータが送信される場合のみに送信される。場合によっては、アップリンクデータが制御情報の送信なしに送信されることもある。一方、ダウンリンクデータに応じて送信されるＡＣＫ／ＮＡＣＫは、アップリンクデータの送信に関連しない。すなわち、アップリンクデータ及びＡＣＫ／ＮＡＣＫが同時に送信されることもあり、いずれか１つのみが送信されることもある。また、与えられた時間で送信されるＣＱＩは、アップリンクデータの送信に関連しない。すなわち、アップリンクデータ及びＣＱＩは、同時に送信されることもあり、いずれか１つだけが送信されることもある。
【００２２】
上述したように、ＳＣ-ＦＤＭＡシステムでは、様々な種類のアップリンク情報が送信される。単一キャリアの特性である１つのＦＦＴブロックを使用すべき制約条件の下で、上述したような様々な種類の情報を送信するために、情報の送信を効率的に制御する必要がある。すなわち、アップリンクデータだけが送信される場合、ＡＣＫ／ＮＡＣＫ又はＣＱＩだけが送信される場合、及びアップリンクデータ及びアップリンクシグナリング情報（ＡＣＫ／ＮＡＣＫ又はＣＱＩ）が送信される場合に、特定の送信規則を取り決める必要がある。
【発明の開示】
【発明が解決しようとする課題】
【００２３】
したがって、本発明の実施形態は、１つのＦＦＴブロックを使用することにより様々な特性を有するアップリンク情報を送受信する方法及び装置を提供することにある。
本発明の実施形態の他の目的は、アップリンクデータの有無に従って、ＡＣＫ／ＮＡＣＫ又はＣＱＩのようなアップリンクシグナリング情報を送受信する方法及び装置を提供することにある。
本発明の実施形態のさらなる目的は、アップリンクデータの送信にあたり、ＡＣＫ／ＮＡＣＫ又はＣＱＩのようなアップリンクシグナリング情報がアップリンクデータに割り当てられたリソースを使用するか否かを示す方法及び装置を提供することにある。
【課題を解決するための手段】
【００２４】
上記のような目的を達成するために、本発明の実施形態の一態様によれば、単一キャリア周波数分割多重接続（ＳＣ-ＦＤＭＡ）無線通信システムにおける複数のアップリンク情報を送信する方法が提案される。かかる方法は、送信されるアップリンクデータが存在する場合に、送信されるアップリンクシグナリング情報が存在するか否かを判定するステップと、上記アップリンクシグナリング情報が存在しない場合に、上記アップリンクデータ及び上記アップリンクデータに関する制御情報を多重化し、多重化されたデータを上記アップリンクデータのために割り当てられた第１の周波数リソースを介して送信するステップと、上記アップリンクシグナリング情報が存在する場合に、上記アップリンクデータ、上記アップリンクデータに関する制御情報、及び上記アップリンクシグナリング情報を多重化し、多重化されたデータを上記アップリンクデータのために割り当てられた第１の周波数リソースを介して送信するステップと、送信される上記アップリンクデータが存在せず、送信される上記アップリンクシグナリング情報が存在する場合に、上記アップリンクシグナリング情報を上記アップリンクシグナリング情報のために割り当てられた第２の周波数リソースを介して送信するステップと、を含むことを特徴とする。
【００２５】
本発明の実施形態の他の態様によれば、単一キャリア周波数分割多重接続（ＳＣ-ＦＤＭＡ）無線通信システムにおける複数のアップリンク情報を送信する装置が提案される。かかる装置は、送信されるアップリンクデータが存在し、送信されるアップリンクシグナリング情報が存在しない場合に、上記アップリンクデータ及び上記アップリンクデータに関する制御情報を多重化し、送信される上記アップリンクデータが存在し、送信される上記アップリンクシグナリング情報が存在する場合に、上記アップリンクデータ、上記アップリンクデータに関する制御情報、及び送信される上記アップリンクシグナリング情報を多重化する多重化器と、上記多重化器により多重化された情報を上記アップリンクデータのために割り当てられた第１の周波数リソースを介して送信するデータリソースマッパーと、送信される上記アップリンクデータが存在しない場合に、上記アップリンクシグナリング情報を上記アップリンクシグナリング情報のために割り当てられた第２の周波数リソースを介して送信するアップリンクシグナリングリソースマッパーと、を含むことを特徴とする。
【００２６】
本発明の実施形態のさらなる他の態様によれば、単一キャリア周波数分割多重接続（ＳＣ-ＦＤＭＡ）無線通信システムにおける複数のアップリンク情報を受信する方法が提案される。かかる方法は、上記アップリンクデータがアップリンクデータのために割り当てられた第１の周波数リソースを介して受信されたか否かを判定するステップと、上記アップリンクデータが受信された場合に、上記第１の周波数リソースを介して受信された情報がアップリンクシグナリング情報を含んでいるか否かを判定するステップと、上記第１の周波数リソースを介して受信された情報が上記アップリンクシグナリング情報を含んでいない場合に、上記第１の周波数リソースを介して受信された情報を上記アップリンクデータ及び上記アップリンクデータに関する制御情報に逆多重化するステップと、上記第１の周波数リソースを介して受信された情報が上記アップリンクシグナリング情報を含む場合に、上記第１の周波数リソースを介して受信された情報を上記アップリンクデータ、上記アップリンクデータに関する制御情報、及び上記アップリンクシグナリング情報に逆多重化するステップと、上記アップリンクデータが受信されない場合に、上記アップリンクシグナリング情報のために割り当てられた第２の周波数リソースを介して上記アップリンクシグナリング情報を受信するステップと、を含むことを特徴とする。
【００２７】
本発明の実施形態のさらに他の態様によれば、単一キャリア周波数分割多重接続（ＳＣ-ＦＤＭＡ）無線通信システムにおける複数のアップリンク情報を受信する装置が提案される。かかる装置は、上記アップリンクデータのために割り当てられた第１の周波数リソースを介して受信された情報が存在する場合に、上記情報がアップリンクシグナリング情報を含むか否かを判定する判定器と、上記第１の周波数リソースを介して受信された情報が上記アップリンクシグナリング情報を含まない場合に、上記第１の周波数リソースを介して受信された情報を上記アップリンクデータ及び上記アップリンクデータに関する制御情報に逆多重化し、上記第１の周波数リソースを介して受信された情報が上記アップリンクシグナリング情報を含む場合に、上記第１の周波数リソースを介して受信された情報を上記アップリンクデータ、上記アップリンクデータに関する制御情報、及び上記アップリンクシグナリング情報に逆多重化する逆多重化器と、上記第１の周波数リソースを介して受信された情報が存在しない場合に、上記アップリンクシグナリング情報のために割り当てられた第２の周波数リソースを介して上記アップリンクシグナリング情報を受信する受信器と、を含むことを特徴とする。
【発明の効果】
【００２８】
本発明は、ＳＣ-ＦＤＭＡ無線通信システムにおける単一サブキャリアの特性を満足させるために、アップリンクデータ及びアップリンクシグナリング情報の送信の際に、アップリンクデータ及びアップリンクシグナリング情報の多重化及びリソースマッピングのための方式を提示する。本発明は、スケジューラーの決定に従って発生するアップリンクデータ、ダウンリンクデータの送信に従って発生するＡＣＫ／ＮＡＣＫ、チャネル状態を示すＣＱＩなどのようなアップリンクシグナリング情報が相互に関連性無しに送信される際に発生し得る単一サブキャリアの送信を妨害する要素を除去し、ＰＡＰＲの増加を防止することができる。
【発明を実施するための最良の形態】
【００２９】
以下、本発明の好適な一実施形態を添付図面を参照しつつ詳細に説明する。下記の説明において、本発明の要旨のみを明瞭にする目的で、関連した公知の機能または構成に関する具体的な説明は省略する。なお、図面中、同一の構成要素及び部分には、可能な限り同一の符号及び番号を共通使用するものとする。そして、後述する用語は、本発明での機能を考慮して定義された用語であり、これは、ユーザー及び運用者の意図又は慣例に従って変わっても良い。従って、これらの定義は、本発明の全体の内容に基づいて定義されなければならない。
【００３０】
本発明は、単一キャリア周波数分割多重接続（ＳＣ-ＦＤＭＡ）方式を使用する無線通信システムにおいて、単一キャリア（Single carrier：ＳＣ）特性を満足させることができるアップリンク情報の送信を可能にするために、相互に異なるタイプのアップリンク情報を多重化する。下記の説明は、ＳＣ-ＦＤＭＡ無線通信システムにおいて、アップリンクデータ、制御情報、ＡＣＫ（ACKnowledgement、応答）／ＮＡＣＫ（Negative ACKnowledgement、否定応答）、ＣＱＩなどのアップリンク送信のための多重化について説明する。ここで、アップリンクデータ及びそれに関連した制御情報を除いた他の情報、すなわち、ＡＣＫ／ＮＡＣＫ及びＣＱＩを含む情報は、アップリンクシグナリング情報と呼ばれる。
【００３１】
まず、本発明の好ましい実施形態を具体的に説明するために、第３世代の移動通信標準化機構である３ＧＰＰ（3rd Generation Partnership Project、第３世代パートナーシップ・プロジェクト）により標準化がなされているＬＴＥ（Long Term Evolution、ロングタームエボリューション）システムについて説明する。ＬＴＥシステムは、アップリンク送信のためにＳＣ-ＦＤＭＡ方式を使用する。図５は、本発明によるアップリンク送信フレーム及びそのサブフレームを示す。
【００３２】
図５において、参照符号５０１は、アップリンク送信単位である無線フレームを示し、１０ｍｓの長さを有するように定義される。１つの無線フレーム５０１は、２０個のサブフレーム５０２を含み、各サブフレームは、０．５ｍｓの長さを有する。また、各サブフレーム５０２は、６個のロングブロック（Long Block：ＬＢ）５０３、５０５、５０６、５０７、５０８、及び５１０と、２個のショートブロック（Short Block：ＳＢ）５０４及び５０９と、各ブロックの前に位置したＣＰ５１１及び５１２とを含む。ＬＢ５０３乃至５１０は、コヒーレント変調（Coherent modulation）のための基準（reference）として使用されるパイロットを除いた情報を運搬し、ＳＢ５０４及び５０９は、上記パイロットの運搬に使用される。
【００３３】
図６は、本発明の好ましい実施形態による図５のサブフレーム５０２を時間領域及び周波数領域上で示す図である。横軸は、周波数領域（Frequency Domain）６０１を示し、縦軸は、時間領域（Time Domain）６０２を示す。周波数領域６０１の範囲は、全周波数帯域６０４に対応し、時間領域６０２の範囲は、１つのサブフレーム６０３に対応する。示すように、ＳＢ６０５及び６０６は、パイロットを運搬し、ＬＢ６０７及び６０８は、パイロットを除いた他の情報を運搬する。
【００３４】
上述したように、基地局によるリソース割当に従って送信されるアップリンクデータ、上記アップリンクデータに関連した制御情報、ダウンリンクデータの受信の成功又は失敗を示すためのＡＣＫ／ＮＡＣＫ、及びチャネル状態を示すＣＱＩなどが上記アップリンクリソースを用いて送信される。
【００３５】
上記アップリンクデータは、基地局のスケジューリングに従って送信されるか否かが決定され、使用されるリソースも基地局の割当に従って決定される。上記アップリンクデータとともに送信される制御情報も基地局により割り当てられたリソースに従って送信される。一方、ＡＣＫ／ＮＡＣＫがダウンリンクデータに基づいて発生するので、ＡＣＫ／ＮＡＣＫは、ダウンリンクデータチャネル又はダウンリンクデータを規定する制御チャネルに応じて、上記ダウンリンクデータが送信されるか否かに従って自動で割り当てられるアップリンクリソースを使用して送信される。また、ＣＱＩが周期的に送信されることが一般的であるため、ＣＱＩは、上位シグナリングによる設定を介して予め決定されるリソースを使用して送信される。
【００３６】
上述したように、上記情報が様々なリソース割当方法を使用するため、様々なタイプの情報がともに送信される場合に、上記様々なリソース割当方法が同時に使用される。単一サブキャリアの特性を満足するために、１つのサブフレームの間に使用されるリソースは、ＬＦＤＭＡ又はＤＦＤＭＡの特性をかならず維持しなければならない。例えば、アップリンクデータ及びＡＣＫ／ＮＡＣＫが同時に送信される場合、すなわち、１つの送信時間間隔（Transmission Time Interval：ＴＴＩ）の間に、上記アップリンクデータは、基地局により割り当てられるリソースを使用し、ＡＣＫ／ＮＡＣＫは、他の方法により決定されるリソース、例えば、ダウンリンクデータの制御チャネルに従って決定されるリソースを使用する。したがって、上記２つのリソースの使用は、単一サブキャリアの特性に矛盾し、これにより、ＰＡＰＲを増加させる。したがって、本発明は、同時に送信される情報が単一サブキャリアの特性を常に維持することができるようにする方法を提案する。
【００３７】
具体的に、下記では、アップリンクデータ及びＡＣＫ／ＮＡＣＫをともに送信する場合について説明する。アップリンクデータは、上記アップリンクデータの制御情報と共に送信されることができる。また、下記の説明は、ＡＣＫ／ＮＡＣＫの代りに、ＣＱＩのような他のアップリンクシグナリング情報にも同一に適用されることができる。
【００３８】
ＡＣＫ／ＮＡＣＫ及びアップリンクデータのうちのいずれか１つのみが送信される場合に、又はこれらのすべてが同時に送信される場合に、単一サブキャリアの特性を常に維持するために、本発明は、次のような方法を提供する。すなわち、アップリンクデータ及びＡＣＫ／ＮＡＣＫのうちの１つだけが送信される場合に、対応する情報に割り当てられるリソースをそのまま使用する。具体的に、アップリンクデータだけが送信される場合に、上記アップリンクデータは、基地局により割り当てられるリソースを用いて送信される。ＡＣＫ／ＮＡＣＫだけが送信される場合に、ＡＣＫ／ＮＡＣＫは、ＡＣＫ／ＮＡＣＫの送信のために決定されるリソースを用いて送信される。他方、アップリンクデータ及びＡＣＫ／ＮＡＣＫが同時に送信される場合に、ＡＣＫ／ＮＡＣＫ及びアップリンクデータは、このアップリンクデータのために割り当てられたリソースのみを用いて送信され、ＡＣＫ／ＮＡＣＫの送信のために決定されたリソースは、無視される。すなわち、ＡＣＫ／ＮＡＣＫ及びアップリンクデータは、このアップリンクデータのために割り当てられたリソースを用いて同時に送信される。
【００３９】
図７は、本発明の好ましい実施形態によるアップリンクデータ及びＡＣＫ／ＮＡＣＫに割り当てられるリソースを示す図である。
参照符号７０１は、周波数領域を示し、参照符号７０２は、時間領域を示す。また、１つの時間間隔内で、データに割り当てられるサブキャリアは、第１のリソース７０３に対応し、ＡＣＫ／ＮＡＣＫに割り当てられるサブキャリアは、第２のリソース７０４に対応する。上述したように、アップリンクデータ及びＡＣＫ／ＮＡＣＫにそれぞれ割り当てられるリソース７０３及び７０４は、周波数領域上で分離される。図７では、アップリンクデータ及びＡＣＫ／ＮＡＣＫにそれぞれ割り当てられるリソース７０３と７０４との間の論理的な分離を図示したが、リソース７０３及び７０４は、ＬＦＤＭＡが使用される場合だけでなく、ＤＦＤＭＡが使用される場合にも、２つのサブキャリアセットに分離される。
【００４０】
このように、全周波数リソースが２つのサブキャリアセットに区分された状況において、アップリンクデータだけが存在する場合に、アップリンクデータは、第１のリソース７０３を用いて送信され、ＡＣＫ／ＮＡＣＫのみが存在する場合に、ＡＣＫ／ＮＡＣＫは、第２のリソース７０４を用いて送信される。他方、アップリンクデータ及びＡＣＫ／ＮＡＣＫのすべてが同時に存在する場合に、アップリンクデータ及びＡＣＫ／ＮＡＣＫは、第２のリソース７０４を使用せず、第１のリソース７０３だけを用いて多重化され送信される。
【００４１】
すなわち、ＡＣＫ／ＮＡＣＫの送信位置は、アップリンクデータが存在するか否かに従って変わる。アップリンクデータを送信するにあたり、ＡＣＫ／ＮＡＣＫが存在するか否かに従って、情報量が変わり、これにより、アップリンクデータの送信形式も変わる。したがって、送信される情報の種類及び量は、基地局と端末との間であらかじめ約束されなければならない。
【００４２】
端末がアップリンクデータだけを送信したが、アップリンクデータ及びＡＣＫ／ＮＡＣＫのすべてを送信したと基地局が誤認する場合には、符号化及び復号化が相互に異なる符号化／復号化方式に従って遂行されるため、正常の通信を期待することができない。例えば、このような通信エラーは、端末がアップリンクデータに関するスケジューリング情報を成功裡に受信したが、ダウンリンクデータの受信に失敗し、ダウンリンクデータが存在しないと判定し、ＡＣＫ／ＮＡＣＫを送信しない場合に発生し得る。したがって、基地局が端末により送信される情報の種類及び量を正確に理解する必要がある。例えば、基地局は、端末により送信される情報を分析するか、又は基地局がダウンリンクデータを端末に送信したか否かに従って、端末から受信された情報の種類を判定する。他の例では、端末は、アップリンク情報の種類を基地局に明確に報告することができる。
【００４３】
第１の実施形態
本発明の第１の実施形態によれば、端末は、アップリンクシグナリング情報（特に、ＡＣＫ／ＮＡＣＫ）が送信されるか否かを基地局に通知することができる。下記では、図８を参照して、本発明の第１の実施形態による周波数−時間リソースの使用について説明する。
【００４４】
図８において、参照符号８０１は、ＬＴＥシステムのアップリンクで使用される１つのサブフレームを示し、参照符号８０８は、データの送信のために割り当てられる周波数帯域を示す。周波数帯域８０８において、参照符号８０２は、ＡＣＫ／ＮＡＣＫなしにアップリンクデータを送信する第１の端末に割り当てられた第１のサブキャリアセットを示し、参照符号８０３は、アップリンクデータをＡＣＫ／ＮＡＣＫと共に送信する第２の端末に割り当てられた第２のサブキャリアセットを示す。
【００４５】
第１のサブキャリアセット８０２において、チャネル推定（channel estimation）のためのパイロット８０４及び８０６は、割り当てられた時間リソースを介して送信される。パイロット８０４及び８０６は、基地局及び端末に知られているパイロットパターンを含むシーケンスを有し、代表的に、ａｌｌ １シーケンス（すべて１の値を有するビットでなされるシーケンス）を含む。すなわち、ＡＣＫ／ＮＡＣＫが送信されないサブキャリアセット８０２のためのパイロット８０４及び８０６は、ａｌｌ １シーケンスのような代表的なシーケンスを有するように設定される。他方、ＡＣＫ／ＮＡＣＫを運搬する第２のサブキャリアセット８０３のためのパイロット８０５及び８０７は、パイロット８０４及び８０６とは異なるパイロットパターンのシーケンスを有するように設定される。すなわち、サブキャリアセット８０３は、ａｌｌ １シーケンスではない、例えば、１及び−１が交互に反復されるシーケンスで構成されたパイロットを使用する。ここで、上記２つの異なるシーケンス間の最小距離（minimum distance）を最も大きく設定することにより、基地局が上記２つのシーケンスを区別するにあたり、エラーの確率を最小にすることができる。
【００４６】
要約すると、端末は、ＡＣＫ／ＮＡＣＫがアップリンクデータと同時に送信されるか否かを、相互に異なるパイロットパターンのシーケンスを有するパイロットを介して基地局に通知する。
【００４７】
図９は、本発明の第１の実施形態による送信器の動作を示すフローチャートであり、図１０は、送信器（端末）を示す図である。図９を参照すると、端末の動作が開始された場合に、端末は、ステップ９０２で、送信されるデータが存在するか否かを判定する。端末により送信されるデータが存在する場合に、基地局のスケジューリングなどを介して端末に指示される。ステップ９０２で、送信されるデータが存在し、基地局が上記データの送信のためのリソースを割り当てたと判定した場合には、ステップ９０３で、端末は、送信されるＡＣＫ／ＮＡＣＫが存在するか否かを判定する。送信されるＡＣＫ／ＮＡＣＫが存在する場合には、上記情報は、ダウンリンクデータのＨＡＲＱ動作を介して、そして、ダウンリンクデータが受信されたか否かに基づいて決定される。
【００４８】
ステップ９０３で、送信されるＡＣＫ／ＮＡＣＫが存在すると判定されると、端末は、ステップ９０５で、所定のシーケンスを有するパイロットパターン＃２をデータのためのパイロット信号として設定し、上記データ、ＡＣＫ／ＮＡＣＫ、及び上記データのための制御情報を多重化する。その後、ステップ９０８で、上述したように、端末は、上記多重化された情報を基地局により割り当てられたデータリソースにマッピングする。この際、パイロットパターン＃２のパイロット信号は、上記データリソースの所定の時間リソースであるショートブロックを介して送信される。
【００４９】
他方、ステップ９０３で、送信されるＡＣＫ／ＮＡＣＫが存在しないと判定された場合に、端末は、ステップ９０６で、所定のシーケンスを有するパイロットパターン＃１をデータのためのパイロット信号として設定し、上記データ及び上記データのための制御情報を多重化する。その後、ステップ９０９で、上述したように、端末は、上記多重化された情報を基地局により割り当てられたデータリソースにマッピングする。この際、パイロットパターン＃２のパイロット信号は、上記データリソースの所定の時間リソースであるショートブロックを介して送信される。ステップ９０５及び９０６は、端末がＡＣＫ／ＮＡＣＫを送信するか否かを基地局に明示的に通知しない場合には、省略されてもよい。
【００５０】
一方、ステップ９０２で、送信されるアップリンクデータが存在しないと判定されると、端末は、ステップ９０４で、送信されるＡＣＫ／ＮＡＣＫが存在するか否かを判定する。送信されるＡＣＫ／ＮＡＣＫが存在する場合には、端末は、ステップ９０７で、ＡＣＫ／ＮＡＣＫをＡＣＫ／ＮＡＣＫのために割り当てられたリソース、すなわち、ダウンリンクデータのリソースに対応するＡＣＫ／ＮＡＣＫリソースを用いて送信する。他方、送信されるＡＣＫ／ＮＡＣＫが存在しない場合には、関連動作が終了する。
【００５１】
図１０に示す送信器の構成を説明すると、ダウンリンクデータのＡＣＫ／ＮＡＣＫ１００１は、チャネル符号化器１００６で反復符号化のような符号化を経た後に、逆多重化器（ＤＥＭＵＸ）１０１６に入力される。逆多重化器１０１６からの出力経路は、アップリンクデータ１００２が存在するか否かを示す信号１００４に基づく。特に、ＤＥＭＵＸ１０１６は、アップリンクデータ１００２が存在する場合に、出力経路１００９に接続される。そうでない場合には、ＤＥＭＵＸ１０１６は、出力経路１００８に接続される。
【００５２】
アップリンクデータ１００２は、アップリンクデータ１００２の送信形式を示す制御情報１００３がチャネル符号化器１０１４により符号化された後に、多重化器１０１５に入力される間に、チャネル符号化器１０１３により符号化された後に、多重化器１０１５に入力される。また、符号化されたＡＣＫ／ＮＡＣＫは、出力経路１００９を介して多重化器１０１５に入力されることができる。アップリンクデータ１００２のために割り当てられたリソース（データリソース）のためのパイロット信号１０１１及び１０１２の中の１つは、スイッチ１０１２を介して多重化器１０１５に入力される。スイッチ１０１２による選択は、ＡＣＫ／ＮＡＣＫが存在するか否かを示す信号１００５に基づく。特に、スイッチ１０１２は、ＡＣＫ／ＮＡＣＫが上記データリソースに送信されない場合に、パイロットパターン＃１のパイロット信号１０１１を選択し、ＡＣＫ／ＮＡＣＫが上記データリソースに送信される場合に、パイロットパターン＃２のパイロット信号１０１２を選択する。
【００５３】
多重化器１０１５により多重化された情報は、データリソースマッパー１０２１によりデータリソースにマッピングされた後に送信される。ここで、データリソースマッパー１０２１は、図２を参照して説明したようなＦＦＴ（又はＤＦＴ）ブロック、サブキャリアマッパー、及びＩＦＦＴブロックを含む。すなわち、アップリンクデータ１００２及びＡＣＫ／ＮＡＣＫ１００１がすべて存在する場合に、アップリンクデータ１００２及びＡＣＫ／ＮＡＣＫ１００１は、ＦＦＴ動作の前に多重化される。他方、アップリンクデータが存在しない場合に、出力経路１００８を介して出力される符号化されたＡＣＫ／ＮＡＣＫは、ＡＣＫ／ＮＡＣＫリソースマッパー１０２０によりＡＣＫ／ＮＡＣＫのために指定されたリソース（ＡＣＫ／ＮＡＣＫリソース）にマッピングされた後に送信される。
【００５４】
図１１は、本発明の第１の実施形態による受信器（基地局）の動作を示すフローチャートであり、図１２は、受信器（基地局）を示す図である。
図１１を参照すると、基地局の動作が開始された場合に、基地局は、ステップ１１０２で、端末からデータを受信するか否かを判定する。基地局がアップリンクのためのデータリソースを端末に割り当てたか否かに基づいて、基地局がデータを端末から受信するか否かを判定する。ステップ１１０２で、受信されるデータが存在すると判定されると、基地局は、ステップ１１０３で、データのために割り当てられたリソース、すなわち、データリソースを介して情報を受信し、ステップ１１０５で、上記データリソースに含まれたパイロット信号のパターンを判定する。
【００５５】
ステップ１１０５で、基地局は、相関器（correlator）などを用いて、上記パイロット信号を予め知っているパイロットパターン＃１及びパイロットパターン＃２と相関することにより、上記パイロット信号のパイロットパターンを判定する。上記パイロット信号がパイロットパターン＃１を有する場合に、基地局は、上記データリソースがＡＣＫ／ＮＡＣＫを含まず、上記受信された情報の逆多重化及び復号化を介してアップリンクデータ及び制御情報を取得する。他方、上記パイロット信号がパイロットパターン＃２を有する場合に、基地局は、上記データリソースがＡＣＫ／ＮＡＣＫを含むと判定し、上記受信された情報の逆多重化及び復号化を介してアップリンクデータ、制御情報、及びＡＣＫ／ＮＡＣＫを取得する。端末がＡＣＫ／ＮＡＣＫを送信するか否かを基地局に明確に通知しない場合に、ステップ１１０５で、基地局は、パイロット信号のパイロットパターンを使用する代りに、ダウンリンクスケジューラーが上記ダウンリンクデータのリソースを予め割り当てたか否かに基づいて、ＡＣＫ／ＮＡＣＫを受信するか否かを判定することができる。
【００５６】
ステップ１１０２で、受信されるデータが存在しないと判定される場合に、基地局は、ステップ１１０４で、ダウンリンクスケジューラーが上記ダウンリンクデータに関するリソースを予め割り当てたか否かに基づいて、受信されるＡＣＫ／ＮＡＣＫが存在するか否かを判定する。受信されるＡＣＫ／ＮＡＣＫが存在する場合に、基地局は、ステップ１１０６で、ＡＣＫ／ＮＡＣＫのために割り当てられたリソース、すなわち、ＡＣＫ／ＮＡＣＫリソースを介して情報を受信し、ステップ１１０９で、上記受信された情報を復号化することによりＡＣＫ／ＮＡＣＫを取得する。ステップ１１０４で、ＡＣＫ／ＮＡＣＫが受信されないと判定される場合には、関連動作を終了する。
【００５７】
図１２を参照すると、基地局は、受信部１２０１を介して無線信号を受信した後に、逆多重化器（ＤＥＭＵＸ）１２０２は、上記無線信号を逆多重化した後に、特定の端末のための信号を抽出する。この際、ＤＥＭＵＸ１２０２は、スケジューラー１２１５の制御信号を用いて動作する。すなわち、データリソースがスケジューラー１２１５により端末に割り当てられた場合に、ＤＥＭＵＸ１２０２は、上記抽出された信号の中でデータリソース情報１２０４だけを出力する。他方、データなしにＡＣＫ／ＮＡＣＫを端末から受信する場合に、ＤＥＭＵＸ１２０２は、上記抽出された信号の中で、ＡＣＫ／ＮＡＣＫリソース情報１２１２だけを出力する。チャネル復号化器１２１３は、ＡＣＫ／ＮＡＣＫリソース情報１２１２を復号化し、この復号化されたＡＣＫ／ＮＡＣＫを出力する。
【００５８】
データリソース情報１２０４は、パイロット判定器１２０３及び逆多重化器（ＤＥＭＵＸ）１２０５に提供される。パイロット判定器１２０３は、データリソース情報１２０４に含まれたパイロット信号のパイロットパターンを判定し、上記パイロットパターンに基づいてＡＣＫ／ＮＡＣＫが存在するか否かを判定する。上記判定の結果に基づいて、ＡＣＫ／ＮＡＣＫが存在するか否かを示す制御信号１２１６は、ＤＥＭＵＸ１２０５に入力される。制御信号１２１６がＡＣＫ／ＮＡＣＫが存在することを示す場合に、ＤＥＭＵＸ１２０５は、上記逆多重化された情報１２０４を符号化されたアップリンクデータ１２２２、符号化された制御情報１２２１、及び符号化されたＡＣＫ／ＮＡＣＫ１２２３にさらに逆多重化する。ＤＥＭＵＸ１２０５の出力１２２１、１２２２、及び１２２３は、チャネル復号化器１２０６、１２０７、及び１２０８により復号化された後に、アップリンクデータ１２１０、制御情報１２０９、及びＡＣＫ／ＮＡＣＫ１２１１として出力される。
【００５９】
他方、制御信号１２１６がＡＣＫ／ＮＡＣＫが存在しないことを示す場合に、ＤＥＭＵＸ１２０５は、上記逆多重化された情報１２０４を符号化されたアップリンクデータ１２２２及び符号化された制御情報１２２１にさらに逆多重化する。ＤＥＭＵＸ１２０５の出力１２２１及び１２２２は、チャネル復号化器１２０６及び１２０７により復号化された後に、アップリンクデータ１２１０及び制御情報１２０９として出力される。この場合に、ＡＣＫ／ＮＡＣＫ１２１１のためのチャネル復号化器１２０８は動作しない。
【００６０】
第２の実施形態
本発明の第２の実施形態によれば、１つのビット又は複数のビットのＡＣＫ／ＮＡＣＫフィールドは、制御情報内に配置される。ＡＣＫ／ＮＡＣＫがアップリンクデータとともに送信される場合に、ＡＣＫ／ＮＡＣＫは、上記制御情報内の予め定義されているＡＣＫ／ＮＡＣＫフィールドを介して送信される。したがって、符号化されたデータ及び符号化された制御情報だけがリソースマッピングの前に多重化される。ＡＣＫ／ＮＡＣＫフィールドは、ＡＣＫ／ＮＡＣＫが存在する場合に、ダウンリンクデータの受信に成功するか否かに従ってＡＣＫ又はＮＡＣＫを示す値を有するように設定される。そうでない場合には、ＡＣＫ／ＮＡＣＫフィールドは、ＮＡＣＫを示す値を有するように設定される。
【００６１】
図１３は、本発明の第２の実施形態による送信器（端末）の動作を示し、図１４は、送信器（端末）を示す。図１３を参照すると、端末の動作が開始された場合には、端末は、ステップ１３０２で、送信されるデータが存在するか否かを判定する。端末により送信されるデータが存在する場合に、基地局などのスケジューリングを介して端末に指示される。ステップ１３０２で、送信されるデータが存在し、基地局が上記データの送信のためのデータリソースを割り当てたと判定される場合には、ステップ１３０３で、端末は、送信されるＡＣＫ／ＮＡＣＫが存在するか否かを判定する。送信されるＡＣＫ／ＮＡＣＫが存在するか否かの判定は、ダウンリンクデータのＨＡＲＱ動作を介して遂行され、上記ダウンリンクデータが受信されたか否かに基づく。
【００６２】
ステップ１３０３で、送信されるＡＣＫ／ＮＡＣＫがあるか否かを判定した場合に、端末は、ステップ１３０５で、制御情報のＡＣＫ／ＮＡＣＫフィールドにＡＣＫ／ＮＡＣＫを設定した後に、上記データ及び上記制御情報を多重化する。その後、ステップ１３０８で、端末は、上記多重化された情報を上記データリソースにマッピングした後に、上記マッピングされた情報を送信する。他方、ステップ１３０３で、送信されるＡＣＫ／ＮＡＣＫが存在しないと判定された場合には、端末は、ステップ１３０７で、制御情報のＡＣＫ／ＮＡＣＫフィールドにＮＡＣＫを設定した後に、上記データ及び上記制御情報を多重化する。ステップ１３０８で、端末は、上記多重化された情報を上記データリソースにマッピングした後に、上記マッピングされた情報を送信する。
【００６３】
他方、ステップ１３０２で、送信されるアップリンクデータが存在しないと判定される場合には、端末は、ステップ１３０４で、送信されるＡＣＫ／ＮＡＣＫが存在するか否かを判定する。送信されるＡＣＫ／ＮＡＣＫが存在する場合には、ステップ１３０９で、端末は、ＡＣＫ／ＮＡＣＫをＡＣＫ／ＮＡＣＫに割り当てられたリソース、すなわち、ＡＣＫ／ＮＡＣＫリソースを用いて送信する。他方、ステップ１３０４で、送信されるＡＣＫ／ＮＡＣＫが存在しない場合に、関連動作を終了する。
【００６４】
図１４に示す送信器を参照すると、アップリンクデータ１４０１は、チャネル符号化器１４０８により符号化された後に、多重化器（ＭＵＸ）１４１１に入力される。他方、ダウンリンクデータの受信に成功する否かを示すＡＣＫ／ＮＡＣＫ１４０２は、アップリンクデータ１４０１が存在するか否かを示す制御信号１４２０に従って逆多重化器（ＤＥＭＵＸ）１４１５を介して出力経路１４１７又は出力経路１４１６に伝達される。アップリンクデータ１４０１が送信されない場合に、出力経路１４１６に伝達されたＡＣＫ／ＮＡＣＫ１４０２は、チャネル符号化器１４０６により反復符号化のような符号化を経た後に、ＡＣＫ／ＮＡＣＫリソースマッパー１４１０によりＡＣＫ／ＮＡＣＫリソースを用いて送信される。
【００６５】
アップリンクデータ１４０１が送信されない場合に、出力経路１４１７に伝達されたＡＣＫ／ＮＡＣＫ１４０２は、スイッチ１４０５に入力される。スイッチ１４０５は、所定のＮＡＣＫ１４０４及びＡＣＫ／ＮＡＣＫ１４０２の中の１つを選択する。すなわち、ＡＣＫ／ＮＡＣＫ１４０２が出力経路１４１７に存在する場合に、スイッチ１４０５は、ＡＣＫ／ＮＡＣＫ１４０２を選択し、ＡＣＫ／ＮＡＣＫ１４０２が出力経路１４１７に存在しない場合に、スイッチ１４０５は、ＮＡＣＫ１４０４を選択する。
【００６６】
スイッチ１４０５の出力は、ＭＵＸ１４０９により制御情報１４０３と共に多重化され、上記多重化された情報は、チャネル符号化器１４０７により符号化された後に、多重化器（ＭＵＸ）１４１１に入力される。ＭＵＸ１４１１は、チャネル符号化器１４０８により符号化されたデータ及びチャネル符号化器１４０７により符号化された制御情報を多重化した後に、上記多重化された情報は、データリソースマッパー１４１２によりデータリソースを用いて送信される。
【００６７】
上述したような送信器において、アップリンクデータが存在する場合に、ＡＣＫ／ＮＡＣＫは、制御情報と共に符号化され送信される。この場合に、ＡＣＫ／ＮＡＣＫを含む制御情報は、ＡＣＫ／ＮＡＣＫを含まない制御情報に比べてさらに優秀な復号化性能を要求する。これは、制御情報のエラー要求条件（error requirement）がＡＣＫ／ＮＡＣＫのエラー要求条件より低いことが一般的であるためである。図１４に示した構成において、制御情報及びＡＣＫ／ＮＡＣＫは、１つのチャネル符号化器１４０７により同時に符号化され、チャネル符号化器１４０７は、ＡＣＫ／ＮＡＣＫのさらに低いエラー要求条件に従って動作する。
【００６８】
ＡＣＫ／ＮＡＣＫを含む制御情報のチャネル符号化方式が不均等なエラー保護（Unequal Error Protection）の特性を有する場合に、チャネル符号化器１４０７に入力される情報ビットは、その位置に従って相互に異なるエラー確率を有する。したがって、上記制御情報内のエラー確率を最小にすることができる位置にＡＣＫ／ＮＡＣＫフィールドを位置させることにより、ＡＣＫ／ＮＡＣＫのエラー要求条件及び制御情報のエラー要求条件をすべて満足させることができる。例えば、３ＧＰＰ ＴＳ２５．２１２ｖ６．６．０のセクション４．７．１．２は、最上位ビット（Most Significant Bit：ＭＳＢ）が最も低いエラー確率を有するようにすることができる不均等なエラー保護の属性を有するチャネル符号化方式を説明する。したがって、上記説明されたチャネル符号化方式が使用される場合に、ＡＣＫ／ＮＡＣＫフィールドを上記制御情報内のＭＳＢとして設定し、適当な送信電力を使用することにより、ＡＣＫ／ＮＡＣＫのエラー確率を減少させ、上記制御情報のエラー確率を適切に保持することが可能である。
【００６９】
図１５は、本発明の第２の実施形態による受信器（基地局）の動作を示す図であり、図１６は、受信器（基地局）を示す。図１５を参照すると、基地局の動作が開始された場合に、ステップ１５０２で、基地局は、端末からデータを受信するか否かを判定する。端末からデータを受信するか否かの判定は、基地局がアップリンクのためのデータリソースを端末に割り当てたか否かに基づく。ステップ１５０２で、受信されるデータが存在すると判定された場合に、基地局は、ステップ１５０３で、データのために割り当てられたリソース、すなわち、データリソースを介して情報を受信し、ステップ１５０４で、上記データリソースに含まれている制御情報を復号化し、ステップ１５０５で、上記制御情報に含まれているＡＣＫ／ＮＡＣＫフィールドを読み出すことにより、ＡＣＫ／ＮＡＣＫを取得する。
【００７０】
他方、ステップ１５０２で、受信されるデータが存在しないと判定された場合に、ステップ１５０６で、基地局は、受信されるＡＣＫ／ＮＡＣＫが存在するか否かを判定する。受信されるＡＣＫ／ＮＡＣＫが存在する場合に、基地局は、ステップ１５０７で、ＡＣＫ／ＮＡＣＫのために割り当てられたリソース、すなわちＡＣＫ／ＮＡＣＫリソースを介して情報を受信し、ステップ１５０８で、上記受信された情報を復号化することによりＡＣＫ／ＮＡＣＫを取得する。ステップ１５０６で、ＡＣＫ／ＮＡＣＫが受信されないと判定されると、関連動作を終了する。
【００７１】
図１６を参照すると、基地局は、受信部１６０１を介して無線信号を受信する。その後、逆多重化器（ＤＥＭＵＸ）１６０２は、上記無線信号を逆多重化した後に特定の端末のための信号を抽出する。この際、ＤＥＭＵＸ１６０２は、基地局スケジューラー１６０３の制御信号を用いて動作する。すなわち、データリソースがスケジューラー１６０３により端末に割り当てられた場合に、ＤＥＭＵＸ１６０２は、上記抽出された信号の中で、データリソース情報１６０４のみを出力する。一方、データ無しにＡＣＫ／ＮＡＣＫを受信する場合に、ＤＥＭＵＸ１６０２は、上記抽出された信号の中で、ＡＣＫ／ＮＡＣＫリソース情報１６０５のみを出力する。チャネル復号化器１６１３は、ＡＣＫ／ＮＡＣＫリソース情報１６０５を復号化し、上記復号化されたＡＣＫ／ＮＡＣＫ１６１４を出力する。
【００７２】
一方、データリソース情報１６０４は、逆多重化器１６０６により符号化されたデータ及び符号化された制御情報に逆多重化される。チャネル復号化器１６０７は、上記符号化されたデータを復号化することにより、アップリンクデータ１６０９を取得する。また、チャネル復号化器１６０８は、上記符号化された制御情報を復号化し、逆多重化器１６１０は、上記復号化された情報を逆多重化し、純粋な制御情報１６１１及びＡＣＫ／ＮＡＣＫ１６１２を個別に出力する。
【００７３】
第３の実施形態
以下、本発明の第３の実施形態は、送信されるアップリンクデータが存在する場合に、アップリンクシグナリング情報、すなわちＡＣＫ／ＮＡＣＫ及びＣＱＩを同一の時間で多重化し、上記アップリンクデータは、上記アップリンクシグナリング情報とは分離された時間で送信される場合について説明する。
【００７４】
図１７は、本発明の第３の実施形態によるサブフレームでＡＣＫ／ＮＡＣＫ及びＣＱＩを同一の時間で多重化する構成を示す図である。
１つのサブフレーム１７０８は、５個のロングブロックＬＢ＃１〜ＬＢ＃５と、４個のショートブロックＳＢ＃１〜ＳＢ＃４と、各ブロックの前に位置したＣＰ５１１及び５１２と、を含む。図５に示したサブフレームと比較して、１個のロングブロック５０３は、図１７に示すサブフレームにおいて、２個のショートブロックＳＢ＃１ １７００及びＳＢ＃２ １７０２に置き換えられる。
【００７５】
例えば、ＳＢ＃１ １７００は、ＡＣＫ／ＮＡＣＫ及びＣＱＩを運搬し、ＳＢ＃２ １７０２は、ＡＣＫ／ＮＡＣＫ及びＣＱＩを復調するために使用されるパイロットを運搬する。また、他のブロック１７０６は、アップリンクデータ、制御情報、及び他の情報を運搬する。ここで、上記アップリンクデータの復調のために使用されるパイロットは、ＳＢ＃３又はＳＢ＃４を介して送信されることができる。
【００７６】
図１８は、図１７に示したサブフレームのＳＢ＃１ １８００及びＳＢ＃２ １８０２に乗せられるＡＣＫ／ＮＡＣＫ及びＣＱＩを周波数領域でマッピングする一例を示す図である。
図１８において、横軸は、周波数リソース１８０８の論理的マッピングを示す。図示したように、Ｎ個のＡＣＫ／ＮＡＣＫチャネル（ＡＣＫＣＨｓ）１８０４及びＫ個のＣＱＩチャネル（ＣＱＩＣＨｓ）１８０６がＳＢ＃１ １８００の周波数リソースに割り当てられる。ＩＦＤＭＡ方式及びＬＦＤＭＡ方式の中で上記適用された送信方式に従って、ＡＣＫ及びＣＱＩチャネルは、物理周波数領域において、図４の（ａ）に示すような不連続的なサブキャリア又は図４の（ｂ）に示すような連続的なサブキャリアを含むサブキャリアセットを使用することができる。ＡＣＫ／ＮＡＣＫ及び／又はＣＱＩを送信するために、対応する端末は、対応するサブフレーム内に割り当てられた（すなわち、同一の時間で）ＡＣＫ／ＮＡＣＫチャネル及び／又はＣＱＩチャネルを使用することにより、ＡＣＫ／ＮＡＣＫ及び／又はＣＱＩを多重化する。
【００７７】
したがって、端末がＡＣＫ／ＮＡＣＫ及びＣＱＩを同時に送信する場合に、ＡＣＫ／ＮＡＣＫ及びＣＱＩが単一のサブキャリアにより送信されることができるようにするためには、ＣＱＩチャネルを介して送信されるＣＱＩ情報は、図１９に示すような構成を有することができる。
【００７８】
図１９は、本発明の第３の実施形態によるＣＱＩ情報の構成を示す図である。参照符号１９００は、ＣＱＩフィールドを示し、参照符号１９０２は、ＡＣＫ／ＮＡＣＫフィールドを示す。図１９において、ＡＣＫ／ＮＡＣＫフィールドが１ビットのサイズを有するように表現されるが、ＡＣＫ／ＮＡＣＫフィールドは、ＡＣＫ／ＮＡＣＫを表現する方法及びＨＡＲＱ送信方式などに従って、複数のビットのサイズを有することができる。
【００７９】
図２０は、本発明の第３の実施形態による送信器（端末）がＡＣＫ／ＮＡＣＫ及びＣＱＩを送信する過程を示す図である。端末の動作が開始されると、端末は、ステップ２００２で、ＣＱＩを送信する時間であるか否かを確認する。ＣＱＩを送信する時間は、例えば、周期的に定められる特定のサブフレーム内のＣＱＩチャネルのために割り当てられた特定のショートブロックにより定められる。ＣＱＩを送信する時間である場合に、端末は、ステップ２００３に進み、送信されるＡＣＫ／ＮＡＣＫが存在するか否かを確認する。
【００８０】
ステップ２００３で、ＣＱＩ及びＡＣＫ／ＮＡＣＫを同時に送信すべきである場合に、ステップ２０１０で、端末は、ＣＱＩ情報内のＡＣＫ／ＮＡＣＫフィールドにＡＣＫ／ＮＡＣＫの値を設定し、ＣＱＩフィールドにＣＱＩ値を設定する。その後に、端末がステップ２０１４に進み、ＣＱＩフィールド及びＡＣＫ／ＮＡＣＫフィールドをチャネル符号化した後に、ＣＱＩチャネルに割り当てられた周波数−時間リソース（以下、“ＣＱＩリソース”と称する。）を介して単一キャリアの送信を遂行する。
【００８１】
他方、ステップ２００３で、送信されるＡＣＫ／ＮＡＣＫが存在しないか、又はＡＣＫ／ＮＡＣＫを送信する時間でないと判定されると、ステップ２０１２で、端末は、ＣＱＩ情報内のＡＣＫ／ＮＡＣＫフィールドにＮＡＣＫを設定する。その後、端末は、ステップ２０１４に進み、ＣＱＩフィールド及びＡＣＫ／ＮＡＣＫフィールドを含むＣＱＩ情報をチャネル符号化した後に、単一キャリアの送信を遂行する。
【００８２】
一方、ステップ２００２で、ＣＱＩを送信する時間でないと判定されると、端末は、ステップ２００４で、送信されるＡＣＫ／ＮＡＣＫが存在するか否かを判定する。送信されるＡＣＫ／ＮＡＣＫが存在し、ＡＣＫ／ＮＡＣＫを送信する時間である場合に、ステップ２０１８で、端末は、ＡＣＫ／ＮＡＣＫチャネルを介して送信されるＡＣＫ／ＮＡＣＫ情報にＡＣＫ／ＮＡＣＫの値を設定した後に、ステップ２０２０で、端末は、ＡＣＫ／ＮＡＣＫ情報を符号化した後に、ＡＣＫチャネルに割り当てられた周波数−時間リソース（以下、“ＡＣＫ／ＮＡＣＫリソース”と称する。）を介して単一キャリアの送信を遂行する。ステップ２００４で、送信されるＡＣＫ／ＮＡＣＫが存在しない場合に、関連動作を終了する。
【００８３】
図２１は、本発明の第３の実施形態による受信器(基地局)の動作を示すフローチャートである。
本発明の第３の実施形態によれば、ＡＣＫ／ＮＡＣＫなしにＣＱＩだけが送信される場合に、ＣＱＩ情報内のＡＣＫ／ＮＡＣＫフィールドは、ＮＡＣＫとして設定される。したがって、受信器（基地局）は、既に知っている値をもってＮＡＣＫ値を設定することにより、ＣＱＩ復号化の復号性能を向上させることができる。かかる方法は、本発明の第２の実施形態において制御情報を復号化する場合にも同様に適用されることができる。
【００８４】
基地局の動作が開始されると、ステップ２１０２で、基地局は、端末からＣＱＩ情報を受信する時間であるか否かを確認する。ＣＱＩ情報を受信する時間である場合に、基地局は、ステップ２１０３に進み、ＣＱＩリソースを介してＣＱＩ情報を受信する。その後、基地局は、ステップ２１０５で、受信されるＡＣＫ／ＮＡＣＫが存在するか否かを確認する。上記受信されるＡＣＫ／ＮＡＣＫが存在し、ＡＣＫ／ＮＡＣＫを受信する時間である場合に、基地局は、ステップ２１０７に進み、ＣＱＩ情報に含まれているＣＱＩフィールド及びＡＣＫ／ＮＡＣＫフィールドを復号化する。ステップ２１０９で、基地局は、ＡＣＫ／ＮＡＣＫ及びＣＱＩを確認する。
【００８５】
他方、上記受信されるＡＣＫ／ＮＡＣＫが存在しないか、ＡＣＫ／ＮＡＣＫを受信する時間ではない場合に、基地局は、ステップ２１１２で、ＣＱＩ情報内のＡＣＫ／ＮＡＣＫフィールドにＮＡＣＫのフィールド値を設定する。その後、ステップ２１１４で、基地局は、ＣＱＩ情報に含まれているＣＱＩフィールドを復号化することにより、ＣＱＩを確認する。ステップ２１１２で、基地局は、ＡＣＫ／ＮＡＣＫフィールドにＮＡＣＫのフィールド値を強制的に設定することができる。
【００８６】
一方、ステップ２１０２で、ＣＱＩ情報を受信する時間でないと判定されると、ステップ２１０４で、基地局は、受信されるＡＣＫ／ＮＡＣＫが存在するか否かを判定する。受信される上記ＡＣＫ／ＮＡＣＫが存在し、ＡＣＫ／ＮＡＣＫを受信する時間に到達すると、基地局は、ステップ２１２０で、ＡＣＫ／ＮＡＣＫチャネルのために割り当てられたリソース、すなわちＡＣＫ／ＮＡＣＫリソースを介してＡＣＫ／ＮＡＣＫ情報を受信する。その後、ステップ２１２２で、基地局は、受信された上記ＡＣＫ／ＮＡＣＫを復号化することにより、ＡＣＫ／ＮＡＣＫを取得する。ステップ２１０４で、ＡＣＫ／ＮＡＣＫが受信されないと判定されると、関連動作を終了する。
【００８７】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００８８】
【図１】通常のＯＦＤＭシステムにおける送信器の構成を示すブロック図である。
【図２】通常のアップリンク送信方式であるＳＣ-ＦＤＭＡ方式を使用するシステムにおける送信器の構成を示すブロック図である。
【図３】図２に示したリソースマッピングの構成をさらに詳細に示すブロック図である。
【図４】周波数領域でのＤＦＤＭＡ及びＬＦＤＭＡのために使用されるサブキャリアの位置間の比較のための図である。
【図５】本発明によるＬＴＥシステムのアップリンク送信フレーム及びそのサブフレームの構成を示す図である。
【図６】本発明の好ましい実施形態による図５のサブフレーム５０２を時間領域及び周波数領域上で示す図である。
【図７】本発明の好ましい実施形態によるアップリンクデータ及びＡＣＫ／ＮＡＣＫに割り当てられるリソースを示す図である。
【図８】本発明の第１の実施形態による周波数-時間リソースの使用を示す図である。
【図９】本発明の第１の実施形態による送信器の動作を示すフローチャートである。
【図１０】本発明の第１の実施形態による送信器の構成を示すブロック図である。
【図１１】本発明の第１の実施形態による受信器の動作を示すフローチャートである。
【図１２】本発明の第１の実施形態による受信器の構成を示すブロック図である。
【図１３】本発明の第２の実施形態による送信器の動作を示すフローチャートである。
【図１４】本発明の第２の実施形態による送信器の構成を示すブロック図である。
【図１５】本発明の第２の実施形態による受信器の動作を示すフローチャートである。
【図１６】本発明の第２の実施形態による受信器の構成を示すブロック図である。
【図１７】本発明の第３の実施形態によるサブフレームでＡＣＫ／ＮＡＣＫ及びＣＱＩを同一の時間で多重化する構成を示す図である。
【図１８】本発明の第３の実施形態による周波数-時間リソースの使用を示す図である。
【図１９】本発明の第３の実施形態によるＣＱＩ情報の構成を示す図である。
【図２０】本発明の第３の実施形態による送信器の動作を示すフローチャートである。
【図２１】本発明の第３の実施形態による受信器の動作を示すフローチャートである。
【符号の説明】
【００８９】
１００１  ＡＣＫ／ＮＡＣＫ
１００２  ＵＬデータ
１００３  制御情報
１００６  チャネル符号化器
１０１０  パイロット＃２
１０１１  パイロット＃１
１０１３、１０１４  チャネル符号化器
１０１５  ＭＵＸ
１０１６  ＤＥ−ＭＵＸ
１０２０  ＡＣＫ／ＮＡＣＫリソースマッパー
１０２１  データリソースマッパー
【図１】
2009522911.tif 000003
【図２】
2009522911.tif 000004
【図３】
2009522911.tif 000005
【図４】
2009522911.tif 000006
【図５】
2009522911.tif 000007
【図６】
2009522911.tif 000008
【図７】
2009522911.tif 000009
【図８】
2009522911.tif 000010
【図９】
2009522911.tif 000011
【図１０】
2009522911.tif 000012
【図１１】
2009522911.tif 000013
【図１２】
2009522911.tif 000014
【図１３】
2009522911.tif 000015
【図１４】
2009522911.tif 000016
【図１５】
2009522911.tif 000017
【図１６】
2009522911.tif 000018
【図１７】
2009522911.tif 000019
【図１８】
2009522911.tif 000020
【図１９】
2009522911.tif 000021
【図２０】
2009522911.tif 000022
【図２１】
2009522911.tif 000023
【国際調査報告】
2009522911.tif 000024
2009522911.tif 000025